(57)【要約】【課題】電子機器自身のケースとは大きさが異なるケースの部品としても共用ケース部を利用することができる電子機器を提供すること。【解決手段】電子機器１０は、矢印１１で示す方向の全長が予め決められた基準長の略２倍であるケース２０を備え、ケース２０は、矢印１１で示す方向の全長が基準長である基準長ケースの部品としても利用可能であり矢印１１で示す方向の全長が基準長以下である底蓋体２１と、矢印１１で示す方向の全長が基準長より長く底蓋体２１に対して矢印１１で示す方向に配置された中間蓋体２２とを有し、底蓋体２１は、中間蓋体２２と嵌合した嵌合部２１ａを有し、中間蓋体２２は、底蓋体２１の嵌合部２１ａと嵌合した嵌合部２２ａを有する。【選択図】  図１
2005012014.tif 000002
【特許請求の範囲】
【請求項１】
所定の方向の全長が予め決められた基準長の略２倍である倍長ケースを備え、
前記倍長ケースは、前記所定の方向の全長が前記基準長である基準長ケースの部品としても利用可能であり前記所定の方向の全長が前記基準長以下である共用ケース部と、前記所定の方向の全長が前記基準長より長く前記共用ケース部に対して前記所定の方向に配置された追加ケース部とを有し、
前記共用ケース部は、前記追加ケース部と嵌合した共用側嵌合部を有し、
前記追加ケース部は、前記共用側嵌合部と嵌合した追加側嵌合部を有したことを特徴とする電子機器。
【請求項２】
前記共用側嵌合部及び前記追加側嵌合部は、前記所定の方向とは異なる方向に互いに付勢し合って嵌合したことを特徴とする請求項１に記載の電子機器。
【請求項３】
前記倍長ケースの前面側に配置された前面パネルと、前記共用ケース部及び前記追加ケース部を互いに固定するための固定用部材と、締結によって前記固定用部材及び前記共用ケース部を固定した共用側締結部材と、締結によって前記固定用部材及び前記追加ケース部を固定した追加側締結部材とを備え、
前記固定用部材は、前記共用ケース部に対して前記共用ケース部及び前記前面パネルの配列方向に配置されたことを特徴とする請求項１に記載の電子機器。
【請求項４】
前記共用ケース部に収納された共用側電子部品と、前記追加ケース部とは別体として前記追加ケース部に収納された追加側電子部品と、前記共用側電子部品及び前記追加側電子部品を接続した電線とを備えたことを特徴とする請求項１に記載の電子機器。
【請求項５】
前記追加ケース部は、前記共用側電子部品及び前記追加側電子部品の間に前記電線を通過させる通過穴が形成されたことを特徴とする請求項４に記載の電子機器。
【請求項６】
前記共用ケース部に収納された共用側電子部品と、前記追加ケース部に収納された追加側電子部品とを備え、
前記追加ケース部は、前記共用側電子部品及び前記追加側電子部品の間に配置されて電磁波を遮断する電磁シールド部を有したことを特徴とする請求項１に記載の電子機器。
【請求項７】
前記倍長ケースは、前記追加ケース部に対して前記共用ケース部側とは反対側に配置された蓋部を有し、
前記追加ケース部は、前記蓋部と嵌合した蓋用嵌合部を有し、
前記蓋部は、前記蓋用嵌合部と嵌合した蓋側嵌合部を有し、
前記蓋側嵌合部及び前記共用側嵌合部は、互いに嵌合可能に形成されたことを特徴とする請求項１に記載の電子機器。
【発明の詳細な説明】
【０００１】
【発明の属する技術分野】
本発明は、他の種類の電子機器のケースの部品としても利用可能である共用ケース部を有したケースを備えた電子機器に関する。
【０００２】
【従来の技術】
従来、他の種類の電子機器のケースの部品としても利用可能である共用ケース部を有したケースを備えた電子機器として、飾りパネルを変更することによってデザインの差別化を図ることが可能な音響機器が知られている（例えば、特許文献１参照。）。
【０００３】
【特許文献１】
特開平１０−２２２９７１号公報（第２−３頁、第１−２図）
【０００４】
【発明が解決しようとする課題】
しかしながら、上述した従来の電子機器においては、電子機器自身のケースとは大きさが異なるケースの部品としては共用ケース部を利用することができないという問題が有った。
【０００５】
そこで、本発明は、電子機器自身のケースとは大きさが異なるケースの部品としても共用ケース部を利用することができる電子機器を提供することを目的とする。
【０００６】
【課題を解決するための手段】
上述した課題を解決するために、本発明の電子機器は、所定の方向の全長が予め決められた基準長の略２倍である倍長ケースを備え、前記倍長ケースは、前記所定の方向の全長が前記基準長である基準長ケースの部品としても利用可能であり前記所定の方向の全長が前記基準長以下である共用ケース部と、前記所定の方向の全長が前記基準長より長く前記共用ケース部に対して前記所定の方向に配置された追加ケース部とを有し、前記共用ケース部は、前記追加ケース部と嵌合した共用側嵌合部を有し、前記追加ケース部は、前記共用側嵌合部と嵌合した追加側嵌合部を有した構成を有している。
【０００７】
この構成により、本発明の電子機器は、所定の方向の全長が基準長の略２倍である倍長ケースの部品としてだけではなく、電子機器自身の倍長ケースとは大きさが異なる基準長ケースの部品としても共用ケース部を利用することができる。したがって、本発明の電子機器は、倍長ケース及び基準長ケースのうち倍長ケースの部品としてだけ共用ケース部を利用することができる場合と比較して、例えば設計工数、部品代及び金型代を低減することができる。
【０００８】
また、本発明の電子機器は、前記共用側嵌合部及び前記追加側嵌合部は、前記所定の方向とは異なる方向に互いに付勢し合って嵌合した構成を有している。
【０００９】
この構成により、本発明の電子機器は、共用側嵌合部及び追加側嵌合部が所定の方向とは異なる方向に互いに付勢し合って嵌合しているので、共用ケース部及び追加ケース部が互いに離れることを抑制することができ、共用ケース部及び追加ケース部が互いに離れることを抑制することができない場合と比較して、共用ケース部と追加ケース部とを固定するためのビスなどの締結部材の数や、共用ケース部と追加ケース部とを締結部材で固定するための工数を低減することができる。
【００１０】
また、本発明の電子機器は、前記倍長ケースの前面側に配置された前面パネルと、前記共用ケース部及び前記追加ケース部を互いに固定するための固定用部材と、締結によって前記固定用部材及び前記共用ケース部を固定した共用側締結部材と、締結によって前記固定用部材及び前記追加ケース部を固定した追加側締結部材とを備え、前記固定用部材は、前記共用ケース部に対して前記共用ケース部及び前記前面パネルの配列方向に配置された構成を有している。
【００１１】
この構成により、本発明の電子機器は、共用ケース部に対して共用ケース部及び前面パネルの配列方向に固定用部材が配置されているので、共用ケース部及び前面パネルの配列方向に略直交する方向の倍長ケースの全長に制限があるときでも、共用ケース部に対して共用ケース部及び前面パネルの配列方向に略直交する方向に固定用部材が配置される場合と比較して、共用ケース部及び前面パネルの配列方向に略直交する方向の倍長ケース内の空間の距離を増やすことができる。
【００１２】
また、本発明の電子機器は、前記共用ケース部に収納された共用側電子部品と、前記追加ケース部とは別体として前記追加ケース部に収納された追加側電子部品と、前記共用側電子部品及び前記追加側電子部品を接続した電線とを備えた構成を有している。
【００１３】
この構成により、本発明の電子機器は、追加ケース部と追加側電子部品とが別体であるので、追加側電子部品のうち追加ケース部に対向した部分に電線を接続することができるなど、追加ケース部と追加側電子部品とが一体である場合と比較して、追加側電子部品の設計を容易化することができ、又、数種類の追加側電子部品に乗せ換えも容易である。
【００１４】
また、本発明の電子機器は、前記追加ケース部は、前記共用側電子部品及び前記追加側電子部品の間に前記電線を通過させる通過穴が形成された構成を有している。
【００１５】
この構成により、本発明の電子機器は、共用側電子部品及び追加側電子部品の間に電線を通過させる通過穴が形成されているので、共用側電子部品及び追加側電子部品の間に電線を通過させる通過穴が形成されていない場合と比較して、電線の長さを短くすることができる。
【００１６】
また、本発明の電子機器は、前記共用ケース部に収納された共用側電子部品と、前記追加ケース部に収納された追加側電子部品とを備え、前記追加ケース部は、前記共用側電子部品及び前記追加側電子部品の間に配置されて電磁波を遮断する電磁シールド部を有した構成を有している。
【００１７】
この構成により、本発明の電子機器は、共用側電子部品及び追加側電子部品の間に電磁シールド部を配置しているので、共用側電子部品から追加側電子部品に電磁波が伝わることや、追加側電子部品から共用側電子部品に電磁波が伝わることを防止することができ、電磁波による共用側電子部品及び追加側電子部品の誤動作を抑制することができる。
【００１８】
また、本発明の電子機器は、前記倍長ケースは、前記追加ケース部に対して前記共用ケース部側とは反対側に配置された蓋部を有し、前記追加ケース部は、前記蓋部と嵌合した蓋用嵌合部を有し、前記蓋部は、前記蓋用嵌合部と嵌合した蓋側嵌合部を有し、前記蓋側嵌合部及び前記共用側嵌合部は、互いに嵌合可能に形成された構成を有している。
【００１９】
この構成により、本発明の電子機器は、所定の方向の全長が基準長の略２倍である倍長ケースの部品としてだけではなく、電子機器自身の倍長ケースとは大きさが異なる基準長ケースの部品としても蓋部を利用することができる。したがって、本発明の電子機器は、倍長ケース及び基準長ケースのうち倍長ケースの部品としてだけ蓋部を利用することができる場合と比較して、例えば設計工数、部品代及び金型代を低減することができる。
【００２０】
【発明の実施の形態】
以下、本発明の一実施の形態について、図面を用いて説明する。
【００２１】
まず、本実施の形態に係る電子機器の構成について説明する。
【００２２】
図１から図３までに示すように、本実施の形態に係る車載用の電子機器１０は、矢印１１で示す所定の方向の全長が予め決められた基準長１０ａの略２倍である倍長ケースとしての２ＤＩＮ（Ｄｅｕｔｓｃｈｅ  Ｉｎｓｔｉｔｕｔｅ  Ｎｏｒｍ）サイズのケース２０と、ケース２０の前面側に配置されて穴３１ａ、３１ｂ、３１ｃが形成された前面パネル３１と、可変抵抗３２ａ、３２ｂ、３２ｃを有しケース２０及び前面パネル３１の間に配置されて前面パネル３１に取り付けられた表示基板３２と、前面パネル３１及び表示基板３２の間に配置されて表示基板３２上に設置されたＬＣＤ（Ｌｉｑｕｉｄ  Ｃｒｙｓｔａｌ  Ｄｉｓｐｌａｙ）ブロック３３と、前面パネル３１の穴３１ａに挿入されて表示基板３２の可変抵抗３２ａに取り付けられたツマミ３４ａと、前面パネル３１の穴３１ｂに挿入されて表示基板３２の可変抵抗３２ｂに取り付けられたツマミ３４ｂと、前面パネル３１の穴３１ｃに挿入されて表示基板３２の可変抵抗３２ｃに取り付けられたツマミ３４ｃと、ケース２０の内部に収納されたＣＤ（Ｃｏｍｐａｃｔ  Ｄｉｓｃ）用のＩＤＣ（Ｉｎ‐Ｄａｓｈ  Ｃｈａｎｇｅｒ）３５と、ケース２０の内部に収納されてＩＤＣ３５以外の図示していない車輌内のＡＶ（Ａｕｄｉｏ  Ｖｉｓｕａｌ）システムやＩＤＣ３５を制御するメイン基板３６、３７と、ＩＤＣ３５及びメイン基板３６を接続した電線３８ａと、メイン基板３６及びメイン基板３７を接続した電線３８ｂ、３８ｃ、３８ｄと、表示基板３２及びメイン基板３６を接続した電線３８ｅ、３８ｆとを備えている。
【００２３】
ここで、ケース２０は、メイン基板３６、３７を収納した金属製の底蓋体２１と、ＩＤＣ３５を収納した金属製の中間蓋体２２と、中間蓋体２２に対して底蓋体２１側とは反対側に配置された蓋部としての金属製の上蓋２３と、底蓋体２１に対して底蓋体２１及び前面パネル３１の矢印１２で示す配列方向に底蓋体２１及び表示基板３２の間に配置された金属製の前板２４と、底蓋体２１に対して矢印１２で示す方向の前板２４側とは反対側に配置された金属製の後板２５と、後板２５にＩＤＣ３５を取り付けるための金属製の取付金具２６と、メイン基板３６、３７が発する熱を放散する金属製の放熱器２７とを有している。
【００２４】
また、電子機器１０は、底蓋体２１及びメイン基板３６を固定した複数のビス４１と、底蓋体２１及びメイン基板３７を固定した複数のビス４２と、底蓋体２１及び放熱器２７を固定した複数のビス４３と、メイン基板３６及び放熱器２７を固定した複数のビス４４と、後板２５及び取付金具２６を固定した複数のビス４５と、底蓋体２１及び後板２５を固定した複数のビス４６と、後板２５及びメイン基板３６を固定した複数のビス４７と、取付金具２６及びＩＤＣ３５を固定した複数のビス４８と、底蓋体２１及び前板２４を固定した複数のビス４９と、前板２４及びメイン基板３６を固定したビス５０と、前板２４及びメイン基板３７を固定したビス５１と、中間蓋体２２及び前板２４を固定した複数のビス５２と、前板２４及び前面パネル３１を固定した複数のビス５３とを有している。
【００２５】
ここで、ケース２０の底蓋体２１は、矢印１１で示す方向の全長が長さ１０ａである基準長ケースとしての１ＤＩＮサイズのケース７０（図４参照。）の部品としても利用可能であり矢印１１で示す方向の全長が長さ１０ａ以下である共用ケース部を構成している。また、底蓋体２１は、中間蓋体２２と嵌合した共用側嵌合部としての嵌合部２１ａを有している。また、メイン基板３６、３７は、底蓋体２１に収納された共用側電子部品を構成している。
【００２６】
また、ケース２０の中間蓋体２２は、矢印１１で示す方向の全長が長さ１０ａより長く底蓋体２１に対して矢印１１で示す方向に配置された追加ケース部を構成している。また、中間蓋体２２は、底蓋体２１の嵌合部２１ａと嵌合した追加側嵌合部としての嵌合部２２ａと、上蓋２３と嵌合した蓋用嵌合部としての嵌合部２２ｂと、ＩＤＣ３５及びメイン基板３６、３７の間に配置されて電磁波を遮断する電磁シールド部２２ｃとを有している。ここで、底蓋体２１の嵌合部２１ａと、中間蓋体２２の嵌合部２２ａとは、矢印１１で示す方向及び矢印１２で示す方向に略直交した矢印１３で示す方向に互いに付勢し合って嵌合している。また、中間蓋体２２は、電磁シールド部２２ｃに電線３８ａを通過させる通過穴２２ｄが形成されている。また、ＩＤＣ３５は、中間蓋体２２とは別体として中間蓋体２２に収納された追加側電子部品を構成しており、図示していないビスによって中間蓋体２２に固定されている。
【００２７】
また、ケース２０の上蓋２３は、中間蓋体２２の嵌合部２２ｂと嵌合した蓋側嵌合部としての嵌合部２３ａを有している。ここで、底蓋体２１の嵌合部２１ａと、上蓋２３の嵌合部２３ａとは、互いに嵌合可能に形成されている。
【００２８】
また、ケース２０の前板２４は、底蓋体２１及び中間蓋体２２を互いに固定するための固定用部材を構成している。ここで、ビス４９は、締結によって底蓋体２１及び前板２４を固定した共用側締結部材を構成しており、ビス５２は、締結によって中間蓋体２２及び前板２４を固定した追加側締結部材を構成している。
【００２９】
また、ケース２０の後板２５も、底蓋体２１及び中間蓋体２２を互いに固定するための固定用部材を構成している。ここで、ビス４６は、締結によって底蓋体２１及び後板２５を固定した共用側締結部材を構成しており、ビス４５は、ＩＤＣ３５及び取付金具２６を介して締結によって中間蓋体２２及び後板２５を固定した追加側締結部材を構成している。
【００３０】
なお、ケース２０の底蓋体２１は、上述したように、矢印１１で示す方向の全長が長さ１０ａであるケース７０の部品としても利用可能である。以下、ケース７０を備えた車載用の電子機器６０（図４参照。）の構成について説明する。
【００３１】
図４から図６までに示すように、電子機器６０は、矢印１１で示す方向の全長が長さ１０ａである１ＤＩＮサイズのケース７０と、ケース７０の前面側に配置されて穴８１ａ、８１ｂ、８１ｃが形成された前面パネル８１と、可変抵抗８２ａ、８２ｂ、８２ｃを有しケース７０及び前面パネル８１の間に配置されて前面パネル８１に取り付けられた表示基板８２と、前面パネル８１及び表示基板８２の間に配置されて表示基板８２上に設置されたＬＣＤブロック８３と、前面パネル８１の穴８１ａに挿入されて表示基板８２の可変抵抗８２ａに取り付けられたツマミ８４ａと、前面パネル８１の穴８１ｂに挿入されて表示基板８２の可変抵抗８２ｂに取り付けられたツマミ８４ｂと、前面パネル８１の穴８１ｃに挿入されて表示基板８２の可変抵抗８２ｃに取り付けられたツマミ８４ｃと、ケース７０の内部に収納されて図示していない車輌内のＡＶシステムを制御するメイン基板３６、３７と、メイン基板３６及びメイン基板３７を接続した電線８８ａ、８８ｂ、８８ｃと、表示基板８２及びメイン基板３６を接続した電線８８ｄ、８８ｅとを備えている。
【００３２】
ここで、ケース７０は、メイン基板３６、３７を収納した金属製の底蓋体２１と、金属製の上蓋２３と、底蓋体２１に対して底蓋体２１及び前面パネル８１の矢印１２で示す配列方向に底蓋体２１及び表示基板８２の間に配置された金属製の前板７４と、底蓋体２１に対して矢印１２で示す方向の前板７４側とは反対側に配置された金属製の後板２５と、メイン基板３６、３７が発する熱を放散する金属製の放熱器２７とを有している。なお、底蓋体２１の嵌合部２１ａと、上蓋２３の嵌合部２３ａとは、矢印１１で示す方向及び矢印１２で示す方向に略直交した矢印１３で示す方向に互いに付勢し合って嵌合している。
【００３３】
また、電子機器６０は、底蓋体２１及びメイン基板３６を固定した複数のビス９１と、底蓋体２１及びメイン基板３７を固定した複数のビス９２と、底蓋体２１及び放熱器２７を固定した複数のビス９３と、メイン基板３６及び放熱器２７を固定した複数のビス９４と、底蓋体２１及び後板２５を固定した複数のビス９５と、後板２５及びメイン基板３６を固定した複数のビス９６と、底蓋体２１及び前板７４を固定した複数のビス９７と、前板７４及びメイン基板３６を固定したビス９８と、前板７４及びメイン基板３７を固定したビス９９と、前板７４及び前面パネル８１を固定した複数のビス１００とを有している。
【００３４】
次に、図１に示す電子機器１０の組み立てについて説明する。
【００３５】
まず、メイン基板３６が、複数のビス４１によって底蓋体２１に固定された後、メイン基板３７が、複数のビス４２によって底蓋体２１に固定される。なお、底蓋体２１に固定されたメイン基板３６、３７には、電線３８ａ、３８ｂ、３８ｃ、３８ｄ、３８ｅ、３８ｆが接続される。
【００３６】
次いで、放熱器２７が、複数のビス４３、４４によって底蓋体２１と、底蓋体２１に固定されたメイン基板３６とに固定された後、中間蓋体２２が、電線３８ａを通過穴２２ｄに通されるとともに嵌合部２２ａを底蓋体２１の嵌合部２１ａに嵌合させられることによって底蓋体２１に固定される。
【００３７】
次いで、中間蓋体２２の通過穴２２ｄを通された電線３８ａが、ＩＤＣ３５に接続された後、ＩＤＣ３５が、図示していないビスによって中間蓋体２２に固定される。
【００３８】
そして、上蓋２３が、嵌合部２３ａを中間蓋体２２の嵌合部２２ｂに嵌合させられることによって中間蓋体２２に固定された後、ビス４５によって互いに固定された後板２５及び取付金具２６が、ビス４６、４７、４８によって底蓋体２１、メイン基板３６、ＩＤＣ３５に固定されるとともに、前板２４が、ビス４９、５０、５１、５２によって底蓋体２１、メイン基板３６、メイン基板３７、中間蓋体２２に固定される。
【００３９】
最後に、表示基板３２、ＬＣＤブロック３３及びツマミ３４ａ、３４ｂ、３４ｃが前面パネル３１に取り付けられ、メイン基板３６に接続された電線３８ｅ、３８ｆが、前面パネル３１に取り付けられた表示基板３２に接続された後、前面パネル３１が、ビス５３によって前板２４に固定されることによって、電子機器１０は組み立てられる。
【００４０】
また、図４に示す電子機器６０の組み立てについて説明する。
【００４１】
まず、メイン基板３６が、複数のビス９１によって底蓋体２１に固定された後、メイン基板３７が、複数のビス９２によって底蓋体２１に固定される。なお、底蓋体２１に固定されたメイン基板３６、３７には、電線８８ａ、８８ｂ、８８ｃ、８８ｄ、８８ｅが接続される。
【００４２】
次いで、放熱器２７が、複数のビス９３、９４によって底蓋体２１と、底蓋体２１に固定されたメイン基板３６とに固定された後、上蓋２３が、嵌合部２３ａを底蓋体２１の嵌合部２１ａに嵌合させられることによって底蓋体２１に固定される。
【００４３】
次いで、後板２５が、ビス９５、９６によって底蓋体２１、メイン基板３６に固定されるとともに、前板７４が、ビス９７、９８、９９によって底蓋体２１、メイン基板３６、メイン基板３７に固定される。
【００４４】
最後に、表示基板８２、ＬＣＤブロック８３及びツマミ８４ａ、８４ｂ、８４ｃが前面パネル８１に取り付けられ、メイン基板３６に接続された電線８８ｄ、８８ｅが、前面パネル８１に取り付けられた表示基板８２に接続された後、前面パネル８１が、ビス１００によって前板７４に固定されることによって、電子機器６０は組み立てられる。
【００４５】
以上に説明したように、図３に示す電子機器１０は、２ＤＩＮサイズのケース２０の部品としてだけではなく、図６に示す１ＤＩＮサイズのケース７０の部品としても底蓋体２１、上蓋２３、後板２５及び放熱器２７を共通で利用することができる。したがって、電子機器１０は、２ＤＩＮサイズのケース及び１ＤＩＮサイズのケースのうち２ＤＩＮサイズのケースの部品としてだけ底蓋体２１、上蓋２３、後板２５及び放熱器２７を利用することができる場合と比較して、例えば設計工数、部品代及び金型代を低減することができる。なお、電子機器１０は、上蓋２３、後板２５及び放熱器２７の少なくとも１つを２ＤＩＮサイズのケース２０の部品としてだけ利用して、１ＤＩＮサイズのケース７０の部品としては利用しないようになっていても良い。
【００４６】
また、図３に示す電子機器１０は、図６に示す電子機器６０の部品としてもメイン基板３６及びメイン基板３７を利用することができる。したがって、電子機器１０は、電子機器６０の部品としてメイン基板３６及びメイン基板３７を利用することができない場合と比較して、例えば設計工数及び部品代を低減することができる。なお、電子機器１０は、メイン基板３６及びメイン基板３７の少なくとも１つを電子機器６０の部品として利用しないようになっていても良い。
【００４７】
また、電子機器１０は、底蓋体２１の嵌合部２１ａと、中間蓋体２２の嵌合部２２ａとが矢印１３で示す方向に互いに付勢し合って嵌合しているので、底蓋体２１及び中間蓋体２２が互いに離れることを抑制することができ、底蓋体２１及び中間蓋体２２が互いに離れることを抑制することができない場合と比較して、底蓋体２１と中間蓋体２２とを固定するためのビスなどの締結部材の数や、底蓋体２１と中間蓋体２２とを締結部材で固定するための工数を低減することができる。なお、電子機器１０は、底蓋体２１の嵌合部２１ａと、中間蓋体２２の嵌合部２２ａとが矢印１１で示す方向とは異なる方向に互いに付勢し合うことなく嵌合していても良い。
【００４８】
また、電子機器１０は、底蓋体２１に対して底蓋体２１及び前面パネル３１の矢印１２で示す配列方向に固定用部材としての前板２４及び後板２５が配置されているので、矢印１２で示す方向に略直交する矢印１３で示す方向のケース２０の全長に制限があるときでも、矢印１３で示す方向に固定用部材が配置される場合と比較して、矢印１３で示す方向のケース２０内の空間の距離を増やすことができる。なお、電子機器１０は、矢印１３で示す方向に固定用部材が配置されていても良いし、固定用部材を備えていなくても良い。
【００４９】
また、電子機器１０は、追加ケース部としての中間蓋体２２と、追加側電子部品としてのＩＤＣ３５とが別体であるので、本実施の形態のようにＩＤＣ３５のうち中間蓋体２２に対向した部分に電線３８ａを接続することができるなど、追加ケース部と追加側電子部品とが一体である場合と比較して、追加側電子部品の設計を容易化することができる。なお、電子機器１０は、追加ケース部と追加側電子部品とが一体である構成、例えば追加側電子部品の筐体が追加ケース部を兼ねる構成であっても良い。
【００５０】
また、電子機器１０は、電線３８ａを通過させる通過穴２２ｄがＩＤＣ３５及びメイン基板３６の間の電磁シールド部２２ｃに形成されているので、電線３８ａを通過させる通過穴がＩＤＣ３５及びメイン基板３６の間に形成されていない場合と比較して、電線３８ａの長さを短くすることができる。なお、電子機器１０は、電線３８ａを通過させる通過穴がＩＤＣ３５及びメイン基板３６の間に形成されていなくても良い。
【００５１】
また、電子機器１０は、ＩＤＣ３５及びメイン基板３６、３７の間に電磁シールド部２２ｃを配置しているので、ＩＤＣ３５からメイン基板３６、３７に電磁波が伝わることや、メイン基板３６、３７からＩＤＣ３５に電磁波が伝わることを防止することができ、電磁波によるＩＤＣ３５及びメイン基板３６、３７の誤動作を抑制することができる。なお、電子機器１０は、ＩＤＣ３５及びメイン基板３６、３７の間に電磁シールド部を備えていなくても良い。
【００５２】
また、図１に示す電子機器１０は、図４に示す電子機器６０と同様な工程で組み立てられるので、組み立てられる設備を電子機器６０と共用することができる。したがって、電子機器１０は、組み立てられる設備を電子機器６０と共用することができない場合と比較して、製造コストを低減することができる。
【００５３】
なお、電子機器１０は、追加側電子部品としてＩＤＣ３５を備えていたが、追加側電子部品としてＩＤＣ３５以外の電子部品を備えていても良い。例えば、電子機器１０は、カセットデッキやＭＤ（Ｍｉｎｉ  Ｄｉｓｃ）デッキなどの各種デッキを追加側電子部品として備えていても良いし、基板を追加側電子部品として備えていても良い。
【００５４】
同様に、電子機器１０は、共用側電子機器としてメイン基板３６、３７以外の電子部品を備えていても良い。
【００５５】
また、電子機器１０は、共用ケース部としての底蓋体２１に対して上蓋２３側に追加ケース部としての中間蓋体２２が配置されているが、共用ケース部に対して上蓋２３側とは反対側に追加ケース部が配置されていても良い。
【００５６】
【発明の効果】
以上に説明したように、本発明によれば、電子機器自身のケースとは大きさが異なるケースの部品としても共用ケース部を利用することができる電子機器を提供することができる。
【図面の簡単な説明】
【図１】本発明の一実施の形態に係る電子機器の分解斜視図
【図２】図１に示す電子機器の正面図
【図３】図１に示す電子機器の側面図
【図４】図１に示す電子機器とは異なる電子機器の分解斜視図
【図５】図４に示す電子機器の正面図
【図６】図４に示す電子機器の側面図
【符号の説明】
１０  電子機器
１０ａ  長さ（基準長）
２０  ケース（倍長ケース）
２１  底蓋体（共用ケース部）
２１ａ  嵌合部（共用側嵌合部）
２２  中間蓋体（追加ケース部）
２２ａ  嵌合部（追加側嵌合部）
２２ｂ  嵌合部（蓋用嵌合部）
２２ｃ  電磁シールド部
２２ｄ  通過穴
２３  上蓋（蓋部）
２３ａ  嵌合部（蓋側嵌合部）
２４  前板（固定用部材）
２５  後板（固定用部材）
３１  前面パネル
３５  ＩＤＣ（追加側電子部品）
３６、３７  メイン基板（共用側電子部品）
３８ａ  電線
４５  ビス（追加側締結部材）
４６  ビス（共用側締結部材）
４９  ビス（共用側締結部材）
５２  ビス（追加側締結部材）
７０  ケース（基準長ケース）
【図１】
2005012014.tif 000003
【図２】
2005012014.tif 000004
【図３】
2005012014.tif 000005
【図４】
2005012014.tif 000006
【図５】
2005012014.tif 000007
【図６】
2005012014.tif 000008